(57)【要約】【課題】  本発明は、情報素材の選択方法を提供する。【解決手段】  ユーザ用にビデオ表示装置に呈示するための１セットの情報素材を修正するに際し、前記ユーザが複数の異なる情報素材を選択し、異なるチャネルが一時的な期間にわたって選択される持続時間に基づいて、前記ユーザ用のセットの情報素材を修正する。前記複数の選択された異なる情報素材の１つは、前記持続時間が閾値未満である場合には、前記セットの情報素材を修正しない。前記複数の選択された異なる情報素材の１つは、前記持続時間が閾値を超える場合には、前記セットの情報素材を修正しない。前記修正は、前記異なる情報素材が選択される１日の時間にさらに基づく。前記修正は、前記異なる情報素材が選択される日にちにさらに基づく。【選択図】  図５
2005110282.tif 000002
【特許請求の範囲】
【請求項１】
ユーザ用にビデオ呈示装置に呈示するための１セットの情報素材を修正するための方法であって、
（ａ）前記ユーザが複数の異なる情報素材を選択し、
（ｂ）前記異なるチャネルが一時的な期間にわたって選択される持続時間に基づいて、前記ユーザ用の前記セットの情報素材を修正すること、
を含むことを特徴とする方法。
【請求項２】
前記複数の情報素材の各１つをリモコンで選択することをさらに含む請求項１記載の方法。
【請求項３】
前記情報素材は、リモコンで情報機能を選択する結果として表示される請求項１記載の方法。
【請求項４】
前記情報素材機能の前記選択は、ボタンを押すことによる請求項３記載の方法。
【請求項５】
前記一時的な期間は、複数の日数である請求項１記載の方法。
【請求項６】
前記複数の選択された異なる情報素材の１つは、前記持続時間が閾値未満である場合には、前記セットの情報素材を修正しない請求項１記載の方法。
【請求項７】
前記閾値は３秒である請求項６記載の方法。
【請求項８】
前記複数の選択された異なる情報素材の１つは、前記持続時間が閾値を超える場合には、前記セットの情報素材を修正しない請求項１記載の方法。
【請求項９】
前記閾値は４５秒である請求項８記載の方法。
【請求項１０】
前記複数の選択された異なる情報素材の１つは、前記持続時間が閾値を超える場合には、前記セットの情報素材を修正しない請求項６記載の方法。
【請求項１１】
前記閾値は４５秒である請求項１０記載の方法。
【請求項１２】
前記セットの情報素材は、すべての利用可能な情報素材未満である請求項１記載の方法。
【請求項１３】
前記修正は、前記異なる情報素材が選択される１日の時間にさらに基づく請求項１記載の方法。
【請求項１４】
前記修正は、前記異なる情報素材が選択される曜日にさらに基づく請求項１記載の方法。
【請求項１５】
前記修正は、前記異なる情報素材が選択される日にちにさらに基づく請求項１記載の方法。
【請求項１６】
前記セットの情報素材は、明白なユーザ定義のないやり方で決定される請求項１記載の方法。
【請求項１７】
前記情報素材は、前記リモコンで前記お気に入り機能を選択することの結果として表示され、前記セットの情報素材は、明白なユーザ定義のないやり方で決定される請求項３記載の方法。
【請求項１８】
前記ユーザを識別することをさらに含む請求項１記載の方法。
【発明の詳細な説明】
【技術分野】
【０００１】
本発明は、情報素材の選択に関する。
【背景技術】
【０００２】
テレビ放送技術は、その開始以降、大幅に改良してきている。テレビ信号は、エアウェーブで放送され、ケーブル、ファイバおよびネットワーク接続によって放送し、サテライトを経由して放送する。今日、容易にアクセスすることができる利用可能な局の数は、１局から、千局ではないにしても、数百局に増加している。見る番組を選択するために、多くの視聴者は、単にリモコンを使用して、望ましい番組を放送しているチャネルがみつかるまで、「チャネルサーフ」を行う。チャネルサーフは、リモコンのチャネル「＋」または「−」キーを使用して、ディスプレイ上で各チャネルを順次見る過程を意味する。視聴者によっては、数百の局からチャネルサーフを行うことを楽しいと思う者もいるが、大半の視聴者は、見る番組を選択するためにより直接的な方法を好む。
【０００３】
システムによっては、たとえば、ＲＣＡダイレクトサテライトシステムすなわちＤSＳ（ダイレクトサテライトシステムおよびＤSＳはゼネラルモーターズの事業部のヒューズコミュニケーションズの商標である）は、テレビチャネル選択ガイドを提供し、これは、典型的に数字順のチャネルと、そのチャネルで放送されるかまたは放送されるべき番組のタイトルと、のリストを表示する。そのようなガイドの簡略化されたブロック図が、図１に例示される。視聴者またはシステムのユーザは、数字を入力するかまたは装置を選択することによってチャネルを選択してもよい。システムは、表示されたガイドを除去し、選択された局に合わせ、局の放送信号を表示することによって、応答する。
【０００４】
このシステムは、多数の欠点がある。ガイドは、番組のタイトルを提供するだけである。番組について書かれた説明等の追加情報を得るためには、ユーザは、番組の説明を有するメニューの第２の層を上に持ってくることによって、対応する情報ボタンを選択しなければならない。したがって、局の数が増加するに従って、番組および番組の説明を検討する効率は減少する。
【０００５】
典型的なテレビ視聴者には、見たいと思っている好みの局がある。システムによっては、チャネルスキップ機能を提供するものもあり、視聴者またはシステムのユーザは、チャネルの表示されたリストからこれらのチャネルを選択することによって、自分が見たいと思っているチャネルを指定することができる。その後、チャネル「＋」または「−」ボタンを使用して、ユーザは、これらの選択されたチャネルを順次見ることができる。
【０００６】
多くの場合、ユーザは、たとえば、金融情報、気象情報、ニュース情報、スポーツ情報等の情報素材を、自分のテレビで見ることを望む。典型的に、そのような情報素材は、デジタル信号と一緒に提供されるデータサービス、インターネット系接続、ケーブルテレビ接続、サテライト接続、ネットワーク系接続、ワイヤレス接続等の放送チャネルの１つによって、テレビに利用可能である。多くの場合、テレビのユーザは、リモコンを使用して多くのメニュー選択を通してナビゲートしてもよく、所望のコンテンツを見るために、リモコン上の数個の異なるボタンを押す必要がある。そのようなメニューナビゲーションは、おそらく、望ましいコンテンツを見るのに必要なリモコンのメニューおよびボタンの複雑なナビゲーションに慣れている者には適切であるが、単に望ましいコンテンツを見たいだけの行きあたりばったりのユーザにはやっかいである。
【０００７】
他の種類の装置、たとえば、パソコンおよびウェブＴＶは、典型的なテレビまたはモニタでインターネットのブラウザを可能にし、両方とも、ユーザがそのような情報素材を見ることを可能にする。同様に、そのような装置のユーザは、リモコンまたはキーボードを使用して多くのメニュー選択を通してナビゲートする必要があり、リモコンまたはキーボード上の数個の異なるボタンを押す必要がある。おそらく望ましいコンテンツを見るのに必要なリモコンまたはキーボードのメニューおよびボタンの複雑なナビゲーションに慣れている者には適切であるが、単に望ましいコンテンツを見たいだけの行きあたりばったりのユーザにはやっかいである。
【０００８】
いくつかの種類のナビゲーション補助が、気に入りのプログラミングに対して試みられている。所定の期間中、特定のチャネルを非選択状態にするためのテレビ受信機用のチャネルセレクタが開示されている（例えば、特許文献１参照）。チャネルが非選択状態にされたときには、ユーザが一連のチャネルを「サーフ」するときに、スキップされる。所定の期間が満了した後には、非選択状態にされたチャネルは、一連の利用可能なチャネルに戻る。チャネルは、標準時間枠、たとえば３０分ごと、に対応する期間の間、非選択状態にされてもよい。あるいは、チャネルは、伝達された番組スケジュールデータから決定された番組の実際の長さに対応する期間の間、非選択状態にされてもよい。ユーザがチャネルサーフするときに、チャネル数を減少することから利益を得る者もいるが、非選択状態は限定された時間のみに持続する。さらに、数百の選択から多くのチャネルを手動で非選択状態にすることは面倒である。
【０００９】
チャネル規定されたキーを備えたテレビリモコンが開示されている（例えば、特許文献２参照）。リモコンは、テレビの音量を遠隔的に制御するための一対の音量キーを有する複数のコントロールキーと、増分および減少のやり方でテレビのチャネルを遠隔的に変えるための一対のチャネルトグルキーと、を含む。リモコンは、マトリクスに構成された複数のユーザキーも含む。各ユーザキーは、信号の伝達を行って、テレビのチャネルを、ユーザキーに関連づけられた所定のチャネルに変える。各ユーザキーはそれに関連づけられた指標を有し、それは、対応するチャネルに対応する。すべてのキーをプログラミングするという骨の折れる作業をユーザが済ませてしまえば効率的であるが、ユーザの好みが変わるたびにキーを再プログラミングするのは面倒である。
【００１０】
ユーザがカスタマイズされたチャネルリストを作成するのを可能にするために、サテライトＴＶシステムのテレビ（ＴＶ）グラフィカルユーザインタフェース（ＧＵＩ）が開示されている（例えば、特許文献３参照）。毎日、気に入りおよびテーマリストが生成されてもよく、それぞれ、定期的に見られているＴＶチャネル、気に入りのＴＶチャネルおよび特定の主題に関連するチャネルを組み合わせる。通常のチャネルチェンジャーモードにおいて、ＴＶＧＵＩは、利用可能なＴＶチャネルの数およびロゴを示すチャネルボックスから構成されるグラフィカルチャネルチェンジャーを表示する。カスタマイズされたチャネルリストを作成するために、ＴＶＧＵＩは、チェンジリストコンテンツモードに切り替えられ、チャネルチェンジャーに加えてチャネルグリッドが表示される。「ドラッグアンドドロップ」手順を使用して、選択されたチャネルボックスに対応するグラフィカルボックスが、チャネルチェンジャーからチャネルグリッドのセルに動かされてもよく、ＴＶチャネルのカスタマイズされたリストを作成するか、または、既存のリストに新しいチャネルを加える。ＴＶチャネルは、不必要なチャネルを表すボックスをグリッドから動かして、それをグリッド領域の外部に置くことによって、リストから取り除かれてもよい。ＴＶチャネルは、ユーザが制定した優先順位を順に、カスタマイズされたリストに入れられてもよい。カスタマイズされたチャネルリストを表すチャネルチェンジャーの位置、グラフィック構成および操作は、通常のチャネルチェンジャーモードのチャネルチェンジャーに比較して、変わらないままである。したがって、ユーザは、ユーザが１セットの動作によってアクセスするお気に入りリストを手で作成する。
【００１１】
マルチプルチャネルテレビ放送システムのユーザに番組情報を提供するラインガイドが開示されている（例えば、特許文献４参照）。ガイドは、ユーザが、見るための特定の番組を選択することを可能にする。特に、システムは、ユーザが自分の気に入りのチャネルとして指定したチャネルの番組情報をスキャンするのを可能にする。「お気に入り」として指定されるボタンが提供される。ユーザが放送ガイドにいてボタンを選択するときに、システムは、ガイドのトップに気に入りの局に関する番組情報を表示することによって、応答する。このようにして、ユーザは、リストのトップに、自分の気に入りの局に関する現在の番組を見、次に残りの局用の番組情報が来る。したがって、ユーザは、お気に入りリストを手で作成し、電子番組ガイドをブラウズしながら「お気に入り」として指定されたボタンを押すことに応答して、お気に入りのリストを呈示する。
【００１２】
ある製品においては、お気に入りチャネルボタンをリモコンに組み込んでいる（例えば、非特許文献１参照）。お気に入りチャネルの機能は代替的に、５つのプログラムされたチャネルのいずれの１つにアクセスするか、または、ユーザがちょうど見たばかりかまたは切り替えたばかりの最後の５つのチャネルへのアクセスであってもよい。
【特許文献１】米国特許第６，２８５，４１４号
【特許文献２】米国特許第６，０８４，６４４号
【特許文献３】米国特許第５，９７８，０４３号
【特許文献４】米国特許第６，４２６，７７９号
【非特許文献１】ソニー社製、ＷＥＧＡ  ＴＶ  ＫＶ−３２ＦＳ１３
【発明の開示】
【発明が解決しようとする課題】
【００１３】
本願に記載されたシステムにおいて、システムは、異なる時間に異なる種類の情報素材を受け取りディスプレイに表示する能力を有するウェブＴＶまたはパソコンであってもよい。加えて、システムは、放送サテライトシステムであってもよく、または、異なる時間に複数の異なる局および／または複数の異なる種類の情報素材を受け取りディスプレイに表示する能力を有するいずれのシステムであってもよい。さらに、説明目的のための下記の記載において、徹底的な理解を提供するために、メニュー、フローチャートおよびシステム構成等の多数の詳細が述べられている。しかし、これらの特定の詳細が必須ではないことは当業者には明らかである。他の事例では、よく知られた電気構造物および回路がブロック図の形態で示される。
【００１４】
本発明者は、情報素材をウェブブラウザ装置またはテレビで見るための従来の技術を検討したが、それらは、忙しく暇のないライフスタイルではユーザが効果的に使用するにはやっかいであるか、または、有用な情報を提供するには極度に簡略化されているかのいずれかであることがわかった。さらに、本発明者は、ユーザのより望ましい情報素材は経時変化する傾向があることを理解した。加えて、望ましい情報素材は、１日の特定の時間および／または曜日に依存して変化する傾向もある。さらに、本発明者は、ユーザの鑑賞習慣は一時的な性質のものであり、したがって、ユーザの実際の好みは、特定の情報素材が見られる持続時間と何らかの形で、関連しているかもしれないということに気付くに至った。
【発明を実施するための最良の形態】
【００１５】
図２は、サテライトシステムを例示する簡略化された図である。システムは、アンテナ３と、一体化レシーバ／デコーダ２（ＩＲＤ）と、リモコン５と、モニタ４とを含む。ビデオは、通常は、パケットの形態であり、サテライトのトランスポンダによって伝達される。各トランスポンダは、通常、所定の周波数で時分割方式でデータを伝達する。デコーダのチューナーは、チャネルに対応するトランスポンダの周波数に合わせられ、これは、デジタルデータのパケットがデコーダによって受信されるように鑑賞者によって指定される。
【００１６】
アンテナ３は、サテライトから送られたビデオ信号を受信する。ビデオ信号は、ＩＲＤへ提供される。アンテナ３は、ブロックダウンコンバータ（ＬＮＢ）を含んでもよい。ＬＮＢは、サテライトから送られた信号の周波数をより低い周波数に変換する。変換された信号はＩＲＤに供給される。モニタ４は、ＩＲＤから信号を受信する。ＩＲＤは同様に情報源８から情報素材を受信してもよく、呈示のためにモニタ４に提供される。
【００１７】
図３は、本発明の教示にしたがってユーザが指令を送信し番組を選択するために使用されるリモコンの例を示す。図４は、リモコンの簡略ブロック図である。リモコン４００は、赤外線発信装置４０５と、１セットの操作ボタン４１０と、ＣＰＵ４１５と、ＲＯＭ４２０と、ＲＡＭ４２５とを有する。ＣＰＵ４１５は、入力ポート４３０を通って操作ボタン４１０から送られた信号を受信する。信号は、ＲＯＭ４２０に格納されたプログラムにしたがって処理される。ＲＡＭ４２５は、送信コードを生成するように、作業スペースとして使用される。送信コードは、出力ポートを通って赤外線発信装置４０５に送られ、赤外線信号に変換される。赤外線信号はＩＲＤに送信される。操作ボタン４１０は、たとえば、北、南、東および西等のポインタに方向を示すための方向キー、「ＥＰＧ」キー、「お気に入り」キー、「選択キー」、「メニュー」キー、「終了」キー、テンキー数字キーパッド、「情報」キーおよび「エンター」キーを含む。操作ボタン４１０のセットは、ユーザが、本発明の教示にしたがって電子番組ガイドを通して番組を選択することを可能にする。
【００１８】
図５を参照すると、ユーザは特定の情報素材を見るか、または、情報素材へのチャネルを変える間に、システムは、ユーザに対する潜在的な関心の１つとして特定の情報素材を識別する。多くの場合、情報素材は、たとえばスクリーンに基づきスクリーン上に、順次に呈示される。たとえば、鑑賞者が最初にスポーツ情報を望むかも知れないが、それには、まず他の幾つかの情報スクリーンをスクロールする必要があるかおしれない。したがって、本発明者は、選択された情報素材が閾値たとえば３秒よりも短い持続時間で見られた場合には、その特定の情報素材は、その特定のユーザには高度に望ましい情報素材ではないらしいということに気付くに至った。したがって、不十分な持続時間で見られた情報素材は、無視されてもよく、または、所望の情報素材に対して重みが減じられてもよい。異なる情報素材が閾値を超えて観察される回数および／または持続時間を、表示してもよい。この表は、ユーザの好みが変わると表もそれにしたがって自動的に更新されるように、特定の期間、たとえば７日間に限定されてもよい。たとえば、スポーツ情報を数日間見た後では、先にニュース情報を見たことは、表の上では価値が少なくなる。特定の情報素材を一時的に見る習慣に基づいて、システムは、ユーザ用に１セットの好みと思われるものを決定してもよい。好みは、所定の数の情報素材に限定されてもよく、または、所望により、すべての利用可能な情報より少なくてもよい。
【００１９】
さらなる検討後、本発明者は、情報素材のもっともアクティブな鑑賞者は、異なる情報へ変えるかまたはテレビ番組へ切り替える前に、そのような素材を限定された期間内に見る傾向があることに気付くに至った。したがって、本発明者は、選択された情報素材が閾値たとえば４５秒を超える持続時間で見られた場合には、ユーザは気が散っているらしいため、その特定の情報素材は、その特定のユーザには高度に望ましい情報素材ではないらしいことに気付くに至った。したがって、過剰な持続時間で見られた情報素材は、無視されてもよく、または、所望の情報素材に対して重みが減じられてもよい。異なる情報素材が閾値未満で観察される回数および／または持続時間を、表示してもよい。この表は、ユーザの好みが変わると表もそれにしたがって自動的に更新されるように、特定の期間、たとえば７日間に限定されてもよい。たとえば、スポーツ情報を数日間見た後で、先にニュース情報を見たことは、表の上では価値が少なくなる。特定の情報素材を一時的に見る習慣に基づいて、システムは、ユーザ用に１セットの好みと思われるものを決定してもよい。好みは、所定の数の情報素材に限定されてもよく、または、所望により、すべての利用可能な情報より少なくてもよい。システムは、所望により、低い閾値、高い閾値、または両方を使用してもよい。
【００２０】
さらなる検討後、ユーザは、１日の異なる時間には異なる情報素材を見る傾向があることがわかった。たとえば、ユーザによっては、朝はニュースを見て、午後には金融情報を見、夕方にはニュースを見る傾向があるかもしれない。図５に見られるように、選択された情報素材は、同様に、情報素材が観察される１日の特定の時間に依存するかもしれない。たとえば、１日の時間は、朝、午後、夕方、１時間ごと（たとえば、分は切り捨て）、時間範囲、分範囲等に規定することができる。これによって、システムによる情報素材のより正確な選択が可能になる。
【００２１】
さらなる検討後、ユーザは、異なる曜または月の異なる日にちには異なる情報素材を見る傾向があることがわかった。たとえば、ユーザによっては、水曜日には金融情報を見て、土曜日にはスポーツ情報を見る傾向があるかもしれない。図５に見られるように、選択された情報素材は、同様に、情報素材が観察される特定の曜日または月の日にちに依存するかもしれない。たとえば、一週間の日を、月曜、火曜、水曜、木曜、金曜、土曜および日曜として規定されてもよい。これによって、システムによる情報素材のより正確な選択が可能になる。曜日／月の日にちの修正は１日の時間と一緒に、互いに組み合わせて使用されることが好ましい。
【００２２】
前記の特性の１つ以上に基づいて、望ましいと思われる情報素材を選択するのにいずれの適切な機構を使用してもよい。たとえば、コンテンツを見る時間が長くなればなるほど、重みは大きくなり、コンテンツを見る回数が多くなればなるほど、重みは大きくなる、などである。加えて、潜在的に望ましい情報素材は、使用される選択基準に基づいて何らかの方法でランクづけられてもよい。図６に見られるように、ユーザの好みにしたがってランクづけられた選択されたチャネルで、最高にランクづけられた情報素材は、情報素材のセットを通して、選択肢として最初にユーザに呈示されることが好ましい、などである。「最初に」情報素材を呈示することには、多くの形態があり、たとえば、（１）リストで最高ランクのものを最初にして、１セットの情報素材を示す、（２）最高ランクのものを最初に呈示して情報素材を通して１つずつ変える、または、（３）そうでなければ、最高ランクの情報素材が選択用のデフォルトである呈示機構を有する、等である。
【００２３】
お気に入り（またはその一部）は、明白なユーザ定義のないやり方でシステムによって自動的に選択されることが見かけられるかもしれない。このやり方で、ユーザは、苦労して、自分の所望の情報素材をシステム内にプログラムする必要がない。加えて、情報素材（またはその一部）が、明白なユーザ選択のないやり方でシステムによって、自動的に更新されるかまたは修正されることが見かけられるかもしれない。初期情報素材のこの動的な生成および情報素材の動的な更新は、ユーザに直接的であり、本質的に情報素材のリストの構築を可能にする。
【００２４】
望ましいリモコン用としては、情報素材選択を作動する単一の「情報」ボタン（ＩＮＦＯ）がある。このやり方で、ユーザは、異なる情報素材をリモコンの異なるボタンに関連づけるかまたは一連のメニューによってナビゲートする必要から開放される。リモコン、テレビ、および／または、リモコンと通信する他の装置は、情報素材を識別し、望ましいようなものを決定し、結果を格納してもよい。情報素材は、いずれのやり方で終了してもよく、たとえば、すべてをスクロールするか、または、終了（ＥＸＩＴ）ボタンを押すなどである。加えて、システムはプログラムされてもよく、または、ユーザが自分の好み、たとえば、場所、株式への関心、関心のある特定の種類のニュース等の情報を示すことによって、システムに提供されてもよい。
【００２５】
システムは、何らかのやり方でユーザの識別をさらに含んでもよい。このやり方で、別個のお気に入りが決定され維持されてもよい。このやり方で、４歳の子供は、たぶん１７歳の子供とは異なるセットの情報素材を有することになる。また、情報ボタンは同様に、テレビまたはリモコン等のディスプレイ装置に表示されるソフトボタンとして、性格的に「仮想」のものであってもよい。
【００２６】
いずれのビデオ呈示装置、たとえば、パソコン、手持ちの表示装置、携帯電話等を使用してもよいことを理解すべきである。加えて、いずれのビデオ呈示装置も、同様にリモコンを含んでもよいが、もし望むなら、機能はリモコンなしで実行されてもよい。
【００２７】
多くの場合、システムによって提供された機能は、セットトップボックス、デジタルテレビまたは他の装置に組み込まれてもよい。十分なメモリがある場合には、すべての機能が、単一のモノリシックアプリケーションに提供されてもよい。多くの場合、すべての潜在的な機能を組み込むアプリケーションを格納するには不十分なメモリしか利用可能ではない。そのような場合には、機能は、ユーザの希望または選択された機能に基づいて、モジュラー方式で装置に利用可能にされてもよい。これは、システムのメモリ使用を最適化するのに役立つ。
【００２８】
場合によっては、システムには、ユーザが格納したいと希望するかもしれない情報用として、限られた量の利用可能な記憶部しかないことがある。そのような場合には、システムは、どの情報をキャッシュに格納するかに階層的な優先順位があってもよい。利用可能なキャッシュが満杯かほぼ満杯の場合には、優先順位の低い事項はキャッシュから除去され、より高い優先順位を有する事項に取って代わられてもよい。加えて、システムは、ユーザが一定の種類の情報を検索するように予想されるときのモデルを、たとえば、午後５時のニュース情報を午後６時に見るなどを、そのような情報を求めるパターンに基づいて、開発してもよい。したがって、システムは、潜在的に望ましい情報を、ユーザがその情報を選択する前に、キャッシュに格納するように選択してもよい。したがって、ユーザの習慣を使用して、望ましい情報を選択してもよい。
【図面の簡単な説明】
【００２９】
【図１】電子番組ガイドを例示する図である。
【図２】テレビシステムを例示する図である。
【図３】リモコンを例示する図である。
【図４】リモコンの機能を例示する図である。
【図５】お気に入りチャネルの決定を例示する図である。
【図６】お気に入りチャネルの呈示を例示する図である。
【図１】
2005110282.tif 000003
【図２】
2005110282.tif 000004
【図３】
2005110282.tif 000005
【図４】
2005110282.tif 000006
【図５】
2005110282.tif 000007
【図６】
2005110282.tif 000008
【外国語明細書】
ＩＮＦＯＲＭＡＴＩＯＮＡＬ  ＭＡＴＥＲＩＡＬ  ＳＥＬＥＣＴＩＯＮ 
2005110282.tif 000009
2005110282.tif 000010
2005110282.tif 000011
2005110282.tif 000012
2005110282.tif 000013
2005110282.tif 000014
2005110282.tif 000015
2005110282.tif 000016
2005110282.tif 000017
2005110282.tif 000018
2005110282.tif 000019
2005110282.tif 000020
2005110282.tif 000021
2005110282.tif 000022
2005110282.tif 000023
2005110282.tif 000024
2005110282.tif 000025
2005110282.tif 000026
2005110282.tif 000027
2005110282.tif 000028
2005110282.tif 000029
2005110282.tif 000030
2005110282.tif 000031
【図１】
2005110282.tif 000032
【図２】
2005110282.tif 000033
【図３】
2005110282.tif 000034
【図４】
2005110282.tif 000035
【図５】
2005110282.tif 000036
【図６】
2005110282.tif 000037